(57)【特許請求の範囲】
【請求項１】
光ファイバ穴の入口に設けた光ファイバ案内用の円錐状凹所と、その円錐状凹所に連通する、光ファイバの被覆つき部分を挿入する挿入孔とを有する光フェルールに接着剤を充填し、接着剤の充填された前記光フェルールの前記光ファイバ穴に光ファイバの先端側の被覆除去部を挿入して接着固定するための光ファイバ挿入用補助部品であって、
硬化後の前記接着剤より柔らかい材質の樹脂で樹脂成形された円錐体状であるとともに、前記円錐状凹所に嵌合する円錐状外面と、中心部に光ファイバの先端側の被覆除去部を貫通させる光ファイバ貫通穴とを有し、円錐状外面部分の最大径部分が光ファイバの被覆部外径と概ね同径であり、光ファイバの被覆剥き際に被せて用いられることを特徴とする光ファイバ挿入用補助部品。
【請求項２】
前記光ファイバ穴に挿入固定される光ファイバの外径が約１２５μｍであり、前記光ファイバ貫通穴の径が約１５０μｍであることを特徴とする請求項１記載の光ファイバ挿入用補助部品。
【請求項３】
光ファイバ穴の入口に設けた光ファイバ案内用の円錐状凹所と、その円錐状凹所に連通する、光ファイバにおける被覆つき部分を挿入する挿入孔とを有するとともに、請求項１の光ファイバ挿入用補助部品を被覆剥き際に被せた光ファイバを前記光ファイバ穴に挿入し接着固定したことを特徴とする光ファイバ付き光フェルール。
【請求項４】
前記光ファイバは、偏波保持光ファイバであることを特徴とする請求項３に記載の光ファイバ付き光フェルール。
【発明の詳細な説明】
【技術分野】
【０００１】
この発明は、光フェルールの光ファイバ穴に光ファイバを支障なく挿入するための光ファイバ挿入用補助部品、及びこれを用いた光ファイバ付き光フェルールに関する。
【背景技術】
【０００２】
光ファイバに光フェルールを取り付ける場合、光ファイバの先端部の被覆を除去する必要がある。すなわち、従来例を示す図６のように、光ファイバ１の先端部の被覆を除去して、この被覆除去部（裸ファイバ）１ａを、接着剤を充填した光フェルール２の光ファイバ穴３ａに挿入して接着固定する。光ファイバ１の被覆部を１ｂで示す。図示例の光フェルール２は、一般にＳＣ光コネクタと称される単心光コネクタ用光フェルールであり、光ファイバ穴３ａをあけたジルコニア等からなる円筒状のフェルール本体３をステンレス等からなるフェルール本体ホルダ４に一体固定した構造である。光ファイバ穴３ａの入口部分には、光ファイバ１ａを挿入し易いように光ファイバ案内用の円錐状凹所３ｂが形成されている。
【発明の開示】
【発明が解決しようとする課題】
【０００３】
上記の通り光ファイバ１に光フェルール２を取り付ける際、先端部の被覆を除去する必要があるが、その際、被覆の除去のしかたが不十分であると、被覆除去部（裸ファイバ）１ａに被覆（被覆カス）が残ってしまい、光ファイバ挿入時に設計通りの挿入量を入れられなかったり、光フェルール内で光ファイバが曲がって挿入されてしまったりし、後者の場合は、ファイバを傷つける原因となり導通障害を起こすこともある。
【０００４】
また、偏波保持光ファイバに光フェルールを取り付ける場合には、上記のような光フェルール内の偏波保持光ファイバの曲がりに加え、付着した接着剤層の不均一に伴う不均一な外力が光ファイバ（裸ファイバ）に作用する場合があり、その場合には偏波消光比の劣化が生じる場合がある。これは、光フェルール２内の構造が、上記の通り、光ファイバ穴３ａの入口部分に円錐状凹所３ｂが形成されてテーパ状になっているため、綺麗に被覆が剥けたとしても剥き際が引っかかってしまい、剥き際の段差部分（したがって、円錐状凹所３ｂの部分）にどうしても接着剤の厚い層ができてしまうことによる。
【０００５】
本発明は上記従来の欠点を解消するためになされたもので、光ファイバに光フェルールを取り付ける際に、被覆カスの影響によって光ファイバ挿入不良が発生することを防止することができ、また、付着する接着剤層の不均一によって光ファイバに不均一な外力が作用することを防止することができる光ファイバ挿入用補助部品、及びこれを用いた光ファイバ付き光フェルールを提供することを目的とする。
【課題を解決するための手段】
【０００６】
上記課題を解決する請求項１の発明は、光ファイバ穴の入口に設けた光ファイバ案内用の円錐状凹所と、その円錐状凹所に連通する、光ファイバの被覆つき部分を挿入する挿入孔とを有する光フェルールに接着剤を充填し、接着剤の充填された前記光フェルールの前記光ファイバ穴に光ファイバの先端側の被覆除去部を挿入して接着固定するための光ファイバ挿入用補助部品であって、
硬化後の前記接着剤より柔らかい材質の樹脂で樹脂成形された円錐体状であるとともに、前記円錐状凹所に嵌合する円錐状外面と、中心部に光ファイバの先端側の被覆除去部を貫通させる光ファイバ貫通穴とを有し、円錐状外面部分の最大径部分が光ファイバの被覆部外径と概ね同径であり、光ファイバの被覆剥き際に被せて用いられることを特徴とする。
【０００８】
請求項２は、請求項１の光ファイバ挿入用補助部品において、光ファイバ穴に挿入固定される光ファイバの外径が約１２５μｍであり、前記光ファイバ貫通穴の径が約１５０μｍであることを特徴とする。
【０００９】
請求項３の発明の光ファイバ付き光フェルールは、光ファイバ穴の入口に設けた光ファイバ案内用の円錐状凹所と、その円錐状凹所に連通する、光ファイバにおける被覆つき部分を挿入する挿入孔とを有するとともに、請求項１の光ファイバ挿入用補助部品を被覆剥き際に被せた光ファイバを前記光ファイバ穴に挿入し接着固定したことを特徴とする。
請求項４は、請求項３の光ファイバ付き光フェルールにおいて、光ファイバが偏波保持光ファイバであることを特徴とする。
【発明の効果】
【００１０】
本発明によれば、光ファイバの被覆剥き際に、光フェルールの光ファイバ穴の入口の円錐状凹所に合わせた円錐体状で円錐状外面部分の最大径部分が光ファイバの被覆部外径と概ね同径の光ファイバ挿入用補助部品が被せられるので、光ファイバの被覆除去部に被覆カスが若干残っていても、光ファイバ挿入用補助部品がその影響を排除することができ、光ファイバ挿入不良が発生することを防止できる。
また、光ファイバの被覆剥き際の段差部が光ファイバ挿入用補助部品で埋められることになるので、被覆剥き際の段差部分に接着剤の厚い層ができることがなく、したがって、接着剤層の不均一による不均一な外力が光ファイバに作用することを防止できる。これにより、偏波保持光ファイバに適用した場合に、消光比の劣化を防止できる。
また、光ファイバの外周に付いた接着剤が熱膨張を起こしたとしても、光ファイバ挿入用補助部品の材質として、硬化後の接着剤より柔らかい材質の樹脂を用いているので、光ファイバ（被覆除去部）に外力を作用させないようにすることができる。
【発明を実施するための最良の形態】
【００１１】
以下、本発明を実施した光ファイバ挿入用補助部品、及びこれを用いた光ファイバ付き光フェルールについて、図面を参照して説明する。
【実施例１】
【００１２】
図１は本発明の一実施例を示すもので、光ファイバ１に光フェルール２を取り付ける状況を示す断面図であり、同図（イ）は光ファイバ１を光ファイバ穴３ａに挿入する前、同図（ロ）は挿入した状態を示す。図示例の光フェルール２は一般にＳＣ光コネクタと称される単心光コネクタ用光フェルールであり、図４にも外観を示すように、光ファイバ穴３ａをあけたジルコニア等からなる円筒状のフェルール本体３をステンレス等からなるフェルール本体ホルダ４に一体固定した構造である。光ファイバ穴３ａの入口部分には光ファイバ案内用の円錐状凹所３ｂが形成されている。
【００１３】
本発明では、図１のＡ部を拡大した図２にも示すように、光ファイバ１をその被覆剥き際に光ファイバ挿入用補助部品１０を被せた状態で光フェルール２の光ファイバ穴３ａに挿入し接着固定する。
この光ファイバ挿入用補助部品１０は、樹脂成形による円錐状体であり、図３にも示すように、光フェルール２の円錐状凹所３ｂに嵌合する円錐状外面１０ｂを有し、中心部に光ファイバ１の先端側の被覆除去部（裸ファイバ）１ａを貫通させる光ファイバ貫通穴１０ａを有している。この光ファイバ挿入用補助部品１０の円錐状外面１０ｂの最大径は、図示のように光ファイバ１の被覆部１ｂの外径と概ね同径とする。光ファイバ挿入用補助部品１０の材質は、前記の通り樹脂であるが、硬化後の接着剤より柔らかい材質の樹脂である。
光ファイバ挿入用補助部品１０に設ける光ファイバ貫通穴１０ａの径は、裸ファイバ径が１２５μｍの光ファイバ１に適用する場合、１５０μｍ程度とするのが適切である。
【００１４】
上記の光ファイバ挿入用補助部品１０を用いて、光ファイバ１に光フェルール２を取り付ける場合、まず、光ファイバ１の先端部の被覆を除去する。次いで、この被覆除去部（裸ファイバ）１ａを光ファイバ挿入用補助部品１０の光ファイバ貫通穴１０ａに通して、図１（イ）、図２に示すように、光ファイバ挿入用補助部品１０を光ファイバ１の被覆剥き際（被覆端）に被せる。この状態で、光ファイバ１の被覆除去部１ａを、予め接着剤を充填した光フェルール２の光ファイバ穴３ａに挿入し接着固定する。
【００１５】
上記のように光ファイバ挿入用補助部品１０を用いて組み立てた光フェルール２では、光ファイバ１の被覆剥き際に光ファイバ挿入用補助部品１０が被せられているので、光ファイバ１の被覆除去部１ａに被覆カスが若干残っていても、光ファイバ挿入用補助部品１０がその影響を排除することができ、光ファイバ挿入不良が発生することを防止できる。
また、光ファイバ１の被覆剥き際の段差部が光ファイバ挿入用補助部品１０で埋められることになるので、被覆剥き際の段差部分に接着剤の厚い層ができることがなく、したがって、接着剤層の不均一による不均一な外力が光ファイバに作用することを防止できる。これにより、偏波保持光ファイバに適用した場合に、消光比の劣化を防止できる。
また、光ファイバの外周に付いた接着剤が熱膨張を起こしたとしても、前述のように、光ファイバ挿入用補助部品１０として、硬化後の接着剤より柔らかい材質の樹脂を用いているので、光ファイバ（被覆除去部１ａ）に外力を作用させないようにすることができる。
【実施例２】
【００１６】
上記実施例の光ファイバ挿入用補助部品１０の外形は単なる円錐体状であるが、図５に示した光ファイバ挿入用補助部品１０’のように、円錐体部分１１に連接する円筒体部分１２を持つ形状とすることもできる。円筒体部分１２の外径は光ファイバ１の被覆部外径と概ね同じにするのが適切である。
【００１７】
上述の説明では、いわゆるＳＣ光コネクタ用の光フェルールに適用する実施例について説明したが、これに限らず、種々の単心光コネクタ用光フェルールに適用することができる。
また、必ずしも単心光コネクタ用に限らず、多心光コネクタ用の光フェルールに適用することも可能である。この場合は、多心の各光ファイバ心線毎に光ファイバ挿入用補助部品１０を被せる。
【図面の簡単な説明】
【００１８】
【図１】本発明の一実施例を示すもので、光ファイバに光フェルールを取り付ける状況を示す断面図であり、同図（イ）は光ファイバを光ファイバ穴に挿入する前、同図（ロ）は挿入した状態を示す。
【図２】図１におけるＡ部の拡大斜視図である。
【図３】図２における光ファイバ挿入用補助部品のみを示した斜視図である。
【図４】図１におけるフェルール本体の斜視図である。
【図５】本発明の光ファイバ挿入用補助部品の他の実施例を示すもので、図２に対応する図である。
【図６】従来例を示すもので、光ファイバに光フェルールを取り付ける状況を示す断面図である。
【符号の説明】
【００１９】
１  光ファイバ
１ａ  光ファイバの被覆除去部（裸ファイバ）
１ｂ  光ファイバの被覆部
２  光フェルール
３  フェルール本体
３ａ  光ファイバ穴
３ｂ  円錐状凹所
４  フェルール本体ホルダ
１０、１０’  光ファイバ挿入用補助部品
１０ａ、１０ａ’  光ファイバ貫通穴
１０ｂ、１０ｂ’  円錐面
【図１】
0004674762.tif 000002
【図２】
0004674762.tif 000003
【図３】
0004674762.tif 000004
【図４】
0004674762.tif 000005
【図５】
0004674762.tif 000006
【図６】
0004674762.tif 000007